(57)【要約】【課題】従来技術の欠点を改善し、組み立てが容易な傘具枢着構造を提供する。【解決手段】傘具枢着構造は、傘具の各傘骨部材の組立・枢着に用いる。傘骨部材の枢着部位には、外枢着部１又は内枢着部２がそれぞれ設けられる。外枢着部１の両内側には、凸軸１１が設けられる。内枢着部２には、凸軸１１に対応する軸孔２２が形成され、外枢着部１と内枢着部２とが係合枢着されるか、外枢着部１は、凸軸１１を内側に有し、軸孔１２を他方の側部に有する。内枢着部２には、外枢着部１に対応する箇所の一方の側部に軸孔２２が形成され、他方の側部に凸軸２１が設けられ、外枢着部１と内枢着部２とが係合枢着される。外枢着部１及び内枢着部２は、対応する傘骨部材の端部又は中途部にそれぞれ設けられる。【選択図】図２３
0003217196.tif 000002
【実用新案登録請求の範囲】
【請求項１】
傘具の各傘骨部材の組立・枢着に用いる傘具枢着構造であって、
前記傘骨部材の枢着部位には、外枢着部又は内枢着部がそれぞれ設けられ、
前記外枢着部の両内側には、凸軸が設けられ、前記内枢着部には、前記凸軸に対応する軸孔が形成され、前記外枢着部と前記内枢着部とが係合枢着され、前記外枢着部は、凸軸を内側に有し、軸孔を他方の側部に有し、前記内枢着部には、前記外枢着部に対応する箇所の一方の側部に軸孔が形成され、他方の側部に凸軸が設けられ、前記外枢着部と前記内枢着部とが係合枢着され、前記外枢着部及び前記内枢着部は、対応する前記傘骨部材の端部又は中途部にそれぞれ設けられることを特徴とする傘具枢着構造。
【請求項２】
前記外枢着部の上端部の両内側には、上傾斜部が設けられ、
前記内枢着部の下端部の両側には、下傾斜部が設けられ、
前記凸軸の端部には、上傾斜部又は下傾斜部が形成され、圧入されると前記上傾斜部又は下傾斜部により案内され、前記外枢着部と前記内枢着部とが締り嵌めされて係合枢着されることを特徴とする請求項１に記載の傘具枢着構造。
【請求項３】
前記外枢着部の前記凸軸は、杆体及びリベット頭部を含み、
前記リベット頭部の外端直径は、前記外枢着部の前記軸孔及び前記内枢着部の前記軸孔の直径より小さく、前記リベット頭部の内端の直径は、前記外枢着部の前記軸孔の直径より大きく、
前記杆体の軸方向の長さは、前記外枢着部の前記軸孔及び前記内枢着部の前記軸孔の軸方向の長さの和より小さくないことを特徴とする請求項１に記載の傘具枢着構造。
【請求項４】
傘具の各傘骨部材の組立・枢着に用いる傘具枢着構造であって、
前記傘骨部材の枢着部位には、外枢着部又は内枢着部がそれぞれ設けられ、
前記外枢着部の両側には、軸孔がそれぞれ形成され、
前記内枢着部の両側には、前記外枢着部の軸孔に対応する凸軸が設けられ、
前記外枢着部の上端部には、上傾斜部が設けられ、前記内枢着部の下端部の両側には、下傾斜部が設けられ、
前記内枢着部の対応する両側の前記凸軸の端部には、下傾斜部が設けられ、前記内枢着部は、圧入されると傾斜部により案内されて係合枢着され、
前記外枢着部及び前記内枢着部は、対応する前記傘骨部材の端部又は中途部にそれぞれ設けられることを特徴とする傘具枢着構造。
【請求項５】
傘具の各傘骨部材の組立・枢着に用いるとともにピンを備える、傘具枢着構造であって、
前記ピンは、弾性ヘッド、杆体及びリベット頭部を有し、
前記弾性ヘッドの中央部には、スリットが形成され、
前記傘骨部材の枢着部位には、外枢着部又は内枢着部がそれぞれ設けられ、
前記外枢着部及び前記内枢着部は、対応する前記傘骨部材の端部又は中途部にそれぞれ設けられ、
前記外枢着部の両側には、軸孔がそれぞれ形成され、
前記内枢着部には、前記外枢着部の前記軸孔に対応する箇所に軸孔が形成され、
前記外枢着部の前記軸孔及び前記内枢着部の前記軸孔は貫通孔であり、
前記杆体の軸方向の長さは、前記外枢着部の前記軸孔及び前記内枢着部の前記軸孔の軸方向の長さの和より小さくなく、
前記弾性ヘッド及び前記リベット頭部の内端の直径は、前記軸孔の直径より大きいことを特徴とする傘具枢着構造。
【請求項６】
前記傘具は、長傘、２つ折りの折り畳み傘又は多段式折り畳み傘であり、
前記長傘の傘骨は、親骨及び受骨を含み、
前記内枢着部又は前記外枢着部は、前記受骨の端部に設けられ、
前記内枢着部又は前記外枢着部は、前記親骨の中途部に設けられ、
前記２つ折りの折り畳み傘又は前記多段式の折り畳み傘の傘骨は、内親骨、中親骨、外親骨、内受骨、接続骨及び湾曲接続骨を含み、
前記外枢着部及び前記内枢着部は、前記内親骨、前記中親骨、前記外親骨、前記内受骨、前記接続骨及び前記湾曲接続骨の端部又は中途部にそれぞれ設けられることを特徴とする請求項１〜５の何れか１項に記載の傘具枢着構造。
【考案の詳細な説明】
【技術分野】
【０００１】
本考案は、傘具接続技術の分野に関し、特に、傘具枢着構造に関する。
【背景技術】
【０００２】
従来から市販されている傘具の傘骨の大部分は、カシメ固定方式により各傘骨構造などを組み立てていた。しかし、実際に組み立てる際、別途、加工ピンを用いて接続する傘骨部材をカシメ固定しなければならないため、全体の組み立て作業に手間と時間がかかる上、高コストであった。そのため、傘骨部材の組立・接続方式をスピーディに行う技術が求められていた。
【０００３】
特許文献１の「傘骨の改良（二）」では、互いに接続された２つの傘骨構造が、プラスチックにより外枢着部が直接成形されるとともに、それに対応した内枢着部と、合致した貫通孔とが形成され、傘骨構造間を互いに係合枢着させる技術が開示されていた。特許文献１は、柱状に形成され、外枢着部上の孔の大部分は貫通孔である。しかし、組み立てて係合する際、内枢着部の両側の凸軸により押圧されると、外枢着部の両側が外側へ折り曲げられるため、外枢着部が変形し易く、最悪の場合、破断・損壊してしまう虞があった（図１及び図２を参照する）。
【先行技術文献】
【特許文献】
【０００４】
【特許文献１】台湾実用新案登録第Ｍ３６１９２３号公報
【考案の概要】
【考案が解決しようとする課題】
【０００５】
本考案の主な目的は、上述した従来技術の欠点を改善し、組み立てが容易な傘具枢着構造を提供することにある。
【課題を解決するための手段】
【０００６】
上記課題を解決するために、本考案の第１の形態によれば、傘具の各傘骨部材の組立・枢着に用いる傘具枢着構造であって、前記傘骨部材の枢着部位には、外枢着部又は内枢着部がそれぞれ設けられ、前記外枢着部の両内側には、凸軸が設けられ、前記内枢着部には、前記凸軸に対応する軸孔が形成され、前記外枢着部と前記内枢着部とが係合枢着されるか、前記外枢着部は、凸軸を内側に有し、軸孔を他方の側部に有し、前記内枢着部には、前記外枢着部に対応する箇所の一方の側部に軸孔が形成され、他方の側部に凸軸が設けられ、前記外枢着部と前記内枢着部とが係合枢着され、前記外枢着部及び前記内枢着部は、対応する前記傘骨部材の端部又は中途部にそれぞれ設けられることを特徴とする傘具枢着構造が提供される。
【０００７】
前記外枢着部の上端部の両内側には、上傾斜部が設けられ、前記内枢着部の下端部の両側には、下傾斜部が設けられ、前記凸軸の端部には、上傾斜部又は下傾斜部が形成され、圧入されると前記傾斜部により案内され、前記外枢着部と前記内枢着部とが締り嵌めされて係合枢着され、前記傘骨部材を係合するときは、前記凸軸が前記軸孔内にスピーディに係合され、傘具を押し広げるときは、前記傘骨部材の枢着部位の受力面が前記凸軸の上側に位置することが好ましい。
【０００８】
前記外枢着部の前記凸軸は、杆体及びリベット頭部を含み、前記リベット頭部の外端直径は、前記外枢着部の前記軸孔及び前記内枢着部の前記軸孔の直径より小さく、前記リベット頭部の内端の直径は、前記外枢着部の前記軸孔の直径より大きく、前記杆体の軸方向の長さは、前記外枢着部の前記軸孔及び前記内枢着部の前記軸孔の軸方向の長さの和より小さくないことが好ましい。
【０００９】
上記課題を解決するために、本考案の第２の形態によれば、傘具の各傘骨部材の組立・枢着に用いる傘具枢着構造であって、前記傘骨部材の枢着部位には、外枢着部又は内枢着部がそれぞれ設けられ、前記外枢着部の両側には、軸孔がそれぞれ形成され、前記内枢着部の両側には、前記外枢着部に対応する凸軸が設けられ、前記外枢着部の上端部には、上傾斜部が設けられ、前記内枢着部の下端部の両側には、下傾斜部が設けられ、前記内枢着部の対応する両側の前記凸軸の端部には、下傾斜部が設けられ、前記内枢着部は、圧入されると傾斜部により案内されて係合枢着され、前記外枢着部及び前記内枢着部は、対応する前記傘骨部材の端部又は中途部にそれぞれ設けられることを特徴とする傘具枢着構造が提供される。
【００１０】
前記傘骨部材を組み立てて係合枢着するときは、傾斜面の弾性により締り嵌めされて取り付けられ、前記凸軸が前記軸孔内にスピーディに係合され、傘具を押し広げるときは、前記傘骨部材の前記枢着部位の受力面が前記凸軸の上側に位置することが好ましい。
【００１１】
上記課題を解決するために、本考案の第３の形態によれば、傘具の各傘骨部材の組立・枢着に用いるとともにピンを備える、傘具枢着構造であって、前記ピンは、弾性ヘッド、杆体及びリベット頭部を有し、前記弾性ヘッドの中央部には、スリットが形成され、前記傘骨部材の枢着部位には、外枢着部又は内枢着部がそれぞれ設けられ、前記外枢着部及び前記内枢着部は、対応する前記傘骨部材の端部又は中途部にそれぞれ設けられ、前記外枢着部の両側には、軸孔がそれぞれ形成され、前記内枢着部には、前記外枢着部の前記軸孔に対応する箇所に軸孔が形成され、前記外枢着部の前記軸孔及び前記内枢着部の前記軸孔は貫通孔であり、前記杆体の軸方向の長さは、前記外枢着部の前記軸孔及び前記内枢着部の前記軸孔の軸方向の長さの和より小さくなく、前記弾性ヘッド及び前記リベット頭部の内端の直径は、前記軸孔の直径より大きいことを特徴とする傘具枢着構造が提供される。
【００１２】
前記傘具は、長傘、２つ折りの折り畳み傘又は多段式折り畳み傘であり、前記長傘の傘骨は、親骨及び受骨を含み、前記内枢着部又は前記外枢着部は、前記受骨の端部に設けられ、前記内枢着部又は前記外枢着部は、前記親骨の中途部に設けられ、前記２つ折りの折り畳み傘又は前記多段式の折り畳み傘の傘骨は、内親骨、中親骨、外親骨、内受骨、接続骨及び湾曲接続骨を含み、前記外枢着部及び前記内枢着部は、前記内親骨、前記中親骨、前記外親骨、前記内受骨、前記接続骨及び前記湾曲接続骨の端部又は中途部にそれぞれ設けられることが好ましい。
【考案の効果】
【００１３】
本考案の傘具枢着構造は、互いに直接接続する傘骨部材に、外枢着部及び内枢着部をそれぞれ設け、外枢着部が上端に設けられた上傾斜部と、両側に設けられた凸軸又は軸孔と、を有し、内枢着部が下端に設けられた下傾斜部と、外枢着部に対応する軸孔又は凸軸と、を有する係合枢着構造を得て、傘骨部材を組み立てる際、上傾斜部及び下傾斜部の弾性により締り嵌めし、スピーディに組み立てることができる。
【図面の簡単な説明】
【００１４】
【図１】図１は、従来技術の傘具枢着構造を示す構造図（１）である。
【図２】図２は、従来技術の傘具枢着構造を示す構造図（２）である。
【図３】図３は、本考案の第１実施形態に係る傘具枢着構造を示す構造図である。
【図４】図４は、本考案の第１実施形態に係る傘具枢着構造の枢着状態を示す構造図である。
【図５】図５は、本考案の第２実施形態に係る傘具枢着構造を示す構造図である。
【図６】図６は、本考案の第２実施形態に係る傘具枢着構造の枢着状態を示す構造図である。
【図７】図７は、本考案の第３実施形態に係る傘具枢着構造を示す構造図である。
【図８】図８は、本考案の第３実施形態に係る傘具枢着構造の枢着状態を示す構造図である。
【図９】図９は、本考案の第４実施形態に係る傘具枢着構造を示す構造図である。
【図１０】図１０は、本考案の第４実施形態に係る傘具枢着構造の枢着状態を示す構造図である。
【図１１】図１１は、本考案の第５実施形態に係る傘具枢着構造を示す構造図である。
【図１２】図１２は、本考案の第６実施形態に係る傘具枢着構造を示す構造図である。
【図１３】図１３は、本考案の第６実施形態に係る傘具枢着構造の枢着状態を示す図である。
【図１４】図１４は、本考案の第７実施形態に係る傘具枢着構造を示す構造図である。
【図１５】図１５は、本考案の第７実施形態に係る傘具枢着構造の枢着状態を示す図である。
【図１６】図１６は、本考案に係る長傘の傘骨構造を示す簡易図である。
【図１７】図１７は、本考案に係る和傘の２つ折りの折り畳み傘の傘骨構造を示す簡易図である。
【図１８】図１８は、本考案に係る反対方向３つ折りの折り畳み傘の傘骨構造を示す簡易図である。
【図１９】図１９は、本考案に係る２つ折りの折り畳み傘の傘骨構造を示す簡易図である。
【図２０】図２０は、本考案に係る３つ折りの折り畳み傘の傘骨構造を示す簡易図である。
【図２１】図２１は、本考案に係る４つ折りの折り畳み傘の傘骨構造を示す簡易図である。
【図２２】図２２は、本考案に係る５つ折りの折り畳み傘の傘骨構造を示す簡易図である。
【図２３】図２３は、本考案の一実施形態に係る傘具枢着構造の枢着構造の一部を示す分解斜視図である。
【図２４】図２４は、本考案の一実施形態に係る傘具枢着構造の枢着構造の一部を示す分解斜視図である。
【図２５】図２５は、本考案の一実施形態に係る多段式折り畳み傘を示す分解斜視図である。
【図２６】図２６は、本考案の一実施形態に係る多段式折り畳み傘を展開した状態を示す斜視図である。
【考案を実施するための形態】
【００１５】
以下、本考案の実施形態について図に基づいて説明する。なお、これによって本考案が限定されるものではない。
【００１６】
（第１実施形態）
図３、図４及び図２３〜図２６を参照する。図３、図４及び図２３〜図２６に示すように、本考案の第１実施形態に係る傘具枢着構造は、傘具の各傘骨部材の組立・枢着に用いる。傘骨部材の枢着部位には、外枢着部１又は内枢着部２がそれぞれ設けられる。外枢着部１は、一方の内側に凸軸１１が設けられ、他方の側部に軸孔１２が形成される。内枢着部２には、外枢着部１と対応する箇所の一方の側部に軸孔２２が形成され、他方の側部に凸軸２１が設けられ、外枢着部１と内枢着部２とが係合枢着される。外枢着部１及び内枢着部２は、対応した傘骨部材の端部又は中途部にそれぞれ設けられる。
【００１７】
外枢着部１の上端部の両内側には、上傾斜部１３が設けられる。内枢着部２の下端部の両側には、下傾斜部２３が設けられる。凸軸１１，２１の端部には、上傾斜部１１３、下傾斜部２１１がそれぞれ形成され、圧入されると傾斜部により案内され、外枢着部１に内枢着部２が締り嵌めされて係合枢着される。傘具を押し広げると、傘骨部材の枢着部位の受力面が凸軸１１，２１の上側に位置する。
【００１８】
（第２実施形態）
図５、図６及び図２３〜図２６を参照する。図５、図６及び図２３〜図２６に示すように、本考案の第２実施形態に係る傘具枢着構造は、傘具の各傘骨部材の組立・枢着に用いる。傘骨部材の枢着部位には、外枢着部１又は内枢着部２がそれぞれ設けられる。外枢着部１は、両内側に凸軸１１が設けられる。内枢着部２は、凸軸１１に対応する軸孔２２を有し、外枢着部１に係合枢着させることができる。外枢着部１及び内枢着部２は、それぞれ対応した傘骨部材の端部又は中途部に設けられる。外枢着部１及び内枢着部２は、凸軸１１又は軸孔２２、上傾斜部１１３又は下傾斜部２３をそれぞれ有し、実際に組み立てる際、外枢着部１及び内枢着部２は、傾斜部の弾性により締り嵌めされ、スムーズかつ迅速に組み合わせて係合枢着させることができる。
【００１９】
外枢着部１の両内側には、上傾斜部１１３を端部に有する凸軸１１が設けられる。内枢着部２の下端部の両側には、下傾斜部２３が設けられる。内枢着部２は、凸軸１１に対応する軸孔２２を有し、組み立てる際、外枢着部１に内枢着部２が圧入されると、傾斜部により案内されて締り嵌めされ、凸軸１１を軸孔２２内に速やかに係合枢着させることができる。
【００２０】
（第３実施形態）
図７、図８及び図２３〜図２６を参照する。図７、図８及び図２３〜図２６に示すように、本考案の第３実施形態に係る傘具枢着構造は、傘具の各傘骨部材の組立・枢着に用いる。傘骨部材の枢着部位には、外枢着部１又は内枢着部２がそれぞれ設けられる。外枢着部１は、一方の内側に凸軸１１が設けられ、他方の側部に軸孔１２が形成される。内枢着部２は、凸軸１１に対応する軸孔２２を有し、外枢着部１に内枢着部２が係合枢着される。外枢着部１及び内枢着部２は、それぞれ対応した傘骨部材の端部又は中途部に設けられる。
【００２１】
外枢着部の凸軸１１は、杆体１１１及びリベット頭部１１２を含む。リベット頭部１１２の外端直径は、外枢着部１の軸孔１２及び内枢着部２の軸孔２２の直径より小さい。リベット頭部１１２の内端の直径は、外枢着部１の軸孔１２の直径より大きい。杆体１１１の軸方向の長さは、外枢着部１の軸孔１２及び内枢着部２の軸孔２２の軸方向の長さの和より小さくない。内枢着部２を有する傘骨構造は、扁形状の枢着ヘッド又は枢着リングでもよい。
【００２２】
（第４実施形態）
図９、図１０及び図２３〜図２６を参照する。図９、図１０及び図２３〜図２６に示すように、本考案の第４実施形態に係る傘具枢着構造は、傘具の各傘骨部材の組立・枢着に用いる。傘骨部材の枢着部位には、外枢着部１又は内枢着部２がそれぞれ設けられる。外枢着部１の両側には、軸孔１２がそれぞれ形成される。内枢着部２の両側には、外枢着部１の軸孔１２に対応する凸軸２１がそれぞれ設けられる。外枢着部１の上端部には、上傾斜部１３が設けられる。内枢着部２の下端部の両側には、下傾斜部２３が設けられる。内枢着部２の対応する両側の凸軸２１の端部には、下傾斜部２１１が設けられる。内枢着部２は、圧入されると傾斜部により案内され、締り嵌めさせて取り付けられるため、スムーズかつ迅速に組み合わせて係合枢着させることができる。
【００２３】
（第５実施形態）
図１１及び図２３〜図２６を参照する。図１１及び図２３〜図２６に示すように、本考案の第５実施形態に係る傘具枢着構造は、傘具の各傘骨部材の組立・枢着に用い、ピン３を含む。ピン３は、弾性ヘッド３３、杆体３１及びリベット頭部３２を含む。弾性ヘッド３３の中央部には、スリット３３１が形成される。傘骨部材の枢着部位には、外枢着部１又は内枢着部２がそれぞれ設けられる。外枢着部１及び内枢着部２は、それぞれ対応した傘骨部材の端部又は中途部に設けられる。外枢着部１の両側には、軸孔１２がそれぞれ形成される。内枢着部２には、外枢着部１の軸孔１２に対応した箇所に軸孔２２が形成される。外枢着部１の軸孔１２及び内枢着部２の軸孔２２は貫通孔である。杆体３１の軸方向の長さは、外枢着部１の軸孔１２と内枢着部２の軸孔２２との軸方向の長さの和より小さくない。弾性ヘッド３３及びリベット頭部３２の内端の直径は、軸孔１２，２２の直径より大きい。
【００２４】
（第６実施形態）
図１２、図１３及び図２３〜図２６を参照する。図１２、図１３及び図２３〜図２６に示すように、本考案の第６実施形態に係る傘具枢着構造は、傘具の各傘骨部材の組立・枢着に用いる。傘骨部材の枢着部位には、外枢着部１又は内枢着部２がそれぞれ設けられる。外枢着部１の両内側には、凸軸１１がそれぞれ設けられる。内枢着部２は、凸軸１１に対応する軸孔２２を有し、外枢着部１に係合枢着させることができる。外枢着部１及び内枢着部２は、対応する傘骨部材の端部又は中途部にそれぞれ設けられる。外枢着部１及び内枢着部２には、凸軸１１又は軸孔２２、上傾斜部１１３又は下傾斜部２３がそれぞれ設けられ、実際に組み立てる際、外枢着部１及び内枢着部２は、圧入されると傾斜部の弾性により締り嵌めされて取り付けられ、スムーズかつ迅速に組み合わせて係合枢着させることができる。
【００２５】
外枢着部１の両内側上端には、上傾斜部１１３を端部に有する凸軸１１が設けられる。内枢着部２の下端部両側には、下傾斜部２３が設けられる。内枢着部２には、凸軸１１に対応する軸孔２２が形成され、取り付ける際、圧入されると傾斜部により案内され、外枢着部１に係合枢着させることができる。そのため、傘骨部材を係合枢着する際、凸軸１１を軸孔２２内にスピーディに係合枢着させることができる。
【００２６】
（第７実施形態）
図１４、図１５及び図２３〜図２６を参照する。図１４、図１５及び図２３〜図２６に示すように、本考案の第７実施形態に係る傘具枢着構造は、傘具の各傘骨部材の組立・枢着に用いる。傘骨部材の枢着部位には、外枢着部１又は内枢着部２がそれぞれ設けられる。外枢着部１の両側には、軸孔１２がそれぞれ形成される。内枢着部２の両側には、外枢着部１の軸孔１２に対応する箇所に凸軸２１がそれぞれ設けられる。外枢着部１の上端部には、上傾斜部１３が設けられる。内枢着部２の下端部両側には、下傾斜部２３が設けられる。内枢着部２の対応した両側の凸軸２１の端部には、下傾斜部２１１が設けられる。内枢着部２は、圧入されると傾斜部により案内され、係合枢着される。
【００２７】
本考案の第１実施形態〜第７実施形態に係る傘具枢着構造の傘具は、長傘、２つ折りの折り畳み傘又は多段式折り畳み傘である。図２３〜図２６に示すように、各傘骨の枢着部Ａの符号１は外枢着部であり、符号２は内枢着部である。図２４は、図２５の各傘骨の枢着部を示す分解斜視図である。図１６に示すように、長傘の傘骨は、親骨４１及び受骨４２を含む。外枢着部１又は内枢着部２は、受骨４２の端部、親骨４１の中途部に設けられる。図１７〜図２２、図２４及び図２５に示すように、２つ折りの折り畳み傘又は多段式の折り畳み傘の傘骨は、内親骨５１、中親骨５２、外親骨５３、内受骨５４、接続骨５５及び湾曲接続骨５６を含む。外枢着部１及び内枢着部２は、内親骨５１、中親骨５２、外親骨５３、内受骨５４、接続骨５５及び湾曲接続骨５６の端部又は中途部にそれぞれ設けられる。
【符号の説明】
【００２８】
１  外枢着部
２  内枢着部
３  ピン
１１  凸軸
１２  軸孔
１３  上傾斜部
２１  凸軸
２２  軸孔
２３  下傾斜部
３１  杆体
３２  リベット頭部
３３  弾性ヘッド
４１  親骨
４２  受骨
５１  内親骨
５２  中親骨
５３  外親骨
５４  内受骨
５５  接続骨
５６  湾曲接続骨
１１１  杆体
１１２  リベット頭部
１１３  上傾斜部
２１１  下傾斜部
３３１  スリット
Ａ  枢着部
【図１】
0003217196.tif 000003
【図２】
0003217196.tif 000004
【図３】
0003217196.tif 000005
【図４】
0003217196.tif 000006
【図５】
0003217196.tif 000007
【図６】
0003217196.tif 000008
【図７】
0003217196.tif 000009
【図８】
0003217196.tif 000010
【図９】
0003217196.tif 000011
【図１０】
0003217196.tif 000012
【図１１】
0003217196.tif 000013
【図１２】
0003217196.tif 000014
【図１３】
0003217196.tif 000015
【図１４】
0003217196.tif 000016
【図１５】
0003217196.tif 000017
【図１６】
0003217196.tif 000018
【図１７】
0003217196.tif 000019
【図１８】
0003217196.tif 000020
【図１９】
0003217196.tif 000021
【図２０】
0003217196.tif 000022
【図２１】
0003217196.tif 000023
【図２２】
0003217196.tif 000024
【図２３】
0003217196.tif 000025
【図２４】
0003217196.tif 000026
【図２５】
0003217196.tif 000027
【図２６】
0003217196.tif 000028